(57)【要約】【課題】良好なアンテナ利得を有する摺動式携帯端末を提供すること。【解決手段】摺動式携帯端末は、第１の筐体と、第２の筐体と、第１の筐体に配置される第１の基板と、第２の筐体に配置される第２の基板と、第１の基板に電気的に接続されるアンテナと、第１の基板と第２の基板が相互に電気的に接続する接続部と、第１の筐体と第２の筐体を摺動可能に接続する複数の摺動部と、接続部と摺動部のひとつとを電気的に接続するための導体と、を有する。複数の摺動部のひとつが導体によって接続部のグランドと電気的に接続する。【選択図】図２
2009182791.tif 000002
【特許請求の範囲】
【請求項１】
第１の筐体と、
第２の筐体と、
前記第１の筐体に配置される第１の基板と、
前記第２の筐体に配置される第２の基板と、
前記第１の基板に電気的に接続されるアンテナと、
前記第１の基板と前記第２の基板が相互に電気的に接続する接続部と、
前記第１の筐体と前記第２の筐体を摺動可能に接続する複数の摺動部と、
前記接続部と前記複数の摺動部のひとつとを電気的に接続するための導体と、を有し、
前記複数の摺動部のひとつが前記導体によって前記接続部のグランドと電気的に接続する摺動式携帯端末。
【請求項２】
請求項１記載の摺動式携帯端末であって、
前記複数の摺動部のうち、前記接続部と電気的に接続されていない摺動部が、前記第１の基板のグランドと電気的に接続されていることを特徴とする摺動式携帯端末。
【請求項３】
請求項１または２記載の摺動式携帯端末であって、
前記複数の摺動部のひとつと前記接続部とが、または、前記複数の摺動部のひとつと前記第１の基板とが、リアクタンス素子を介して電気的に接続されることを特徴とする摺動式携帯端末。
【発明の詳細な説明】
【技術分野】
【０００１】
本発明は、一方の筐体がもう一方の筐体に対してスライドする摺動式携帯端末に関する。
【背景技術】
【０００２】
一方の筐体がもう一方の筐体に対してスライドする携帯電話等の通信装置（以下「摺動式携帯端末」という。）では、各筐体内の回路基板がフレキシブルケーブルによって電気的に接続されている。フレキシブルケーブルは、例えば、一方の筐体に設けられたアンテナと、もう一方の筐体に設けられた信号処理のための回路基板とを接続する。
【０００３】
フレキシブルケーブルの長さは、少なくとも筐体間のスライド長は確保されている必要があり、フレキシブルケーブルの末端が接続される回路基板上のコネクタの位置によっては、さらに長く形成されている必要がある。しかし、フレキシブルケーブルが長いと電気長が長くなるため、スライド時にアンテナインピーダンス特性が変動して、アンテナの性能に影響を及ぼす。
【０００４】
このため、特許文献１に開示のスライド型携帯電話機では、図７に示すように、コネクタ接続部２３Ａ，２３Ｂ間を接続するフレキシブルケーブル１０の途中部分が、基板１７のグランド層に接続された接地部分２５と電気的に接続される。このように、フレキシブルケーブル１０が途中で接地されると、フレキシブルケーブルの電気長は、コネクタ接続部２３Ａ，２３Ｂ間の長さではなく、接地部分２５からコネクタ接続部２３Ｂまでの長さになる。このように、電気長を短くすることができるため、アンテナインピーダンス特性が改善される。
【０００５】
【特許文献１】特開２００６−９３９９８号公報
【特許文献２】特開２００６−３３３３８７号公報
【特許文献３】特開２００６−２０３８０６号公報
【発明の開示】
【発明が解決しようとする課題】
【０００６】
しかし、図７に示したスライド型携帯電話機では、コネクタ接続部２３Ａ，２３Ｂの位置によっては接地部分２５を増やせない可能性がある。また、コネクタ接続部２３Ａ，２３Ｂの位置によっては、接地部分２５を設けるための適切な箇所が基板１７上にない可能性もある。
【０００７】
また、図８に示すように、このスライド型携帯電話機では、筐体１に設けられたスライドレール１２に、筐体２に接続されるスライダ１５が摺動可能に嵌合しているため、２つの筐体１，２が互いにスライドできる。しかし、スライドレール１２が金属等の導体によって形成されている場合や筐体内のグランド条件によっては、上記説明したようにフレキシブルケーブル１０の途中で接地して電気長を短くしただけでは、アンテナ利得を大幅には改善できない。
【０００８】
すなわち、図９に示すように、図７に示したスライド型携帯電話機では、筐体２に設けられたアンテナ２２と筐体１に設けられた回路基板２０及び金属フレーム２１とが容量結合した結果、アンテナ電流が回路基板２０のグランド層及び金属フレーム２１の一部にアンテナ電流とは逆相の結合電流が流れる。この逆相の電流がＶＳＷＲ（Voltage Standing Wave Ratio）特性を低下させるため、アンテナ利得が劣化してしまうという問題があった。
【０００９】
本発明の目的は、一方の筐体がもう一方の筐体に対してスライドする摺動式携帯端末において、良好なアンテナ利得を有する摺動式携帯端末を提供することである。
【課題を解決するための手段】
【００１０】
本発明は、第１の筐体と、第２の筐体と、前記第１の筐体に配置される第１の基板と、前記第２の筐体に配置される第２の基板と、前記第１の基板に電気的に接続されるアンテナと、前記第１の基板と前記第２の基板が相互に電気的に接続する接続部と、前記第１の筐体と前記第２の筐体を摺動可能に接続する複数の摺動部と、前記接続部と前記摺動部のひとつとを電気的に接続するための導体と、を有し、前記複数の摺動部のひとつが前記導体によって前記接続部のグランドと電気的に接続する摺動式携帯端末を提供する。
【００１１】
上記摺動式携帯端末では、前記複数の摺動部のうち、前記接続部と電気的に接続されていない摺動部が、前記第１の基板のグランドと電気的に接続されている。
【００１２】
上記摺動式携帯端末では、前記摺動部と前記接続部とが、または、前記摺動部と前記第１の基板とが、リアクタンス素子を介して電気的に接続される。
【発明の効果】
【００１３】
本発明に係る摺動式携帯端末によれば、アンテナ利得が向上する。
【発明を実施するための最良の形態】
【００１４】
以下、本発明の実施形態について、図面を参照して説明する。なお、以下説明する実施形態では、一方の筐体がもう一方の筐体に対してスライドする携帯電話等の通信装置（以下「摺動式携帯端末」という。）について説明する。
【００１５】
図１は、一実施形態の摺動式携帯端末を示す斜視図であり、図１（ａ）は閉状態の摺動式携帯端末を示し、図１（ｂ）は開状態の摺動式携帯端末を示す。図１に示す摺動式携帯端末は、互いにスライド可能な上筐体１００及び下筐体２００を備える。
【００１６】
図２は、図１に示した摺動式携帯端末が備える各筐体の内部構成を示す図である。図３は、図１に示した摺動式携帯端末が閉状態での図２に示すＡ−Ａ線断面図である。さらに、図４は、図１に示した摺動式携帯端末を右側面から見た内部構成を示す図である。
【００１７】
図２〜図４に示すように、上筐体１００には、回路基板（以下「上基板」という。）１０１と、レール１０３ａ，１０３ｂと、板金１０５とが設けられている。また、下筐体２００には、回路基板（以下「下基板」という。）２０１と、スライダ２０３ａ，２０３ｂと、板金２０５ａ，２０５ｂと、リアクタンス素子２０７と、ＰＩＦＡ等の内蔵アンテナ２０９とが設けられている。なお、図２に示すように、上筐体１００の上基板１０１と下筐体２００の下基板２０１は、筐体間のスライド長以上の長さを有する可撓性のあるフラットケーブル（以下「フレキシブルケーブル」という。）３０１によってそれぞれ電気的に接続されている。
【００１８】
上筐体１００のレール１０３ａ，１０３ｂは、上筐体１００が下筐体２００に対してスライドする面、すなわち上筐体１００の背面の左右端部にそれぞれ設けられている。また、下筐体２００のスライダ２０３ａ，２０３ｂは、下筐体２００が上筐体１００に対してスライドする面上、すなわち下筐体２００の正面上の左右端部に設けられている。スライダ２０３ａ，２０３ｂは、レール１０３ａ，１０３ｂの溝部にスライド可能に嵌合されているため、上筐体１００と下筐体２００は互いにスライド可能である。なお、レール１０３ａ，１０３ｂ及びスライダ２０３ａ，２０３ｂは、金属等の導体によって形成されている。
【００１９】
本実施形態では、スライダの一方（図２及び図３ではスライダ２０３ａ）に板金２０５ａがネジ止めされており、板金２０５ａ及びネジ２１５ａを介してスライダ２０３ａとフレキシブルケーブル３０１のグランド線が電気的に接続されている。なお、板金２０５ａ及びネジ２１５ａは、導体によって形成されている。フレキシブルケーブル３０１のグランド線は、図３に示す下基板２０１のグランド層２１１にも接続されている。また、スライダ２０３ａは、レール１０３ａと常に接触している。このため、板金２０５ａ及びネジ２１５ａを介してスライダ２０３ａとフレキシブルケーブル３０１のグランド線を導通させることによって、下基板２０１のグランド層２１１−フレキシブルケーブル３０１のグランド線−板金２０５ａ−ネジ２１５ａ−スライダ２０３ａ−レール１０３ａが導通する。なお、フレキシブルケーブル３０１のグランド線は、下基板２０１のグランド層２１１と上基板１０１のグランド層１１１を接続しているため、下基板２０１のグランド層２１１−フレキシブルケーブル３０１のグランド線−上基板１０１のグランド層１１１も導通している。なお、レールとスライダは必ずしもＤＣ的に導通している必要はなく、近接して容量結合の状態であっても良い。
【００２０】
また、スライダの他方（（図２及び図３ではスライダ２０３ｂ）には板金２０５ｂがネジ止めされており、板金２０５ｂ、ネジ２１５ｂ及びリアクタンス素子２０７を介して、スライダ２０３ｂと下基板２０１のグランド層２１１が電気的に接続されている。なお、板金２０５ｂ及びネジ２１５ｂは、導体によって形成されている。また、スライダ２０３ｂは、レール１０３ｂと常に接触している。このため、板金２０５ｂ、ネジ２１５ｂ及びリアクタンス素子２０７を介してスライダ２０３ｂと下基板２０１のグランド層２１１を導通させることによって、下基板２０１のグランド層２１１−リアクタンス素子２０７−板金２０５ｂ−ネジ２１５ｂ−スライダ２０３ｂ−レール１０３ｂが導通する。
【００２１】
このように、本実施形態では、上筐体１００に設けられているレール１０３ａが、スライダ２０３ａ、フレキシブルケーブル３０１のグランド線及び板金２０５ａ等の導体を介して、内蔵アンテナ２０９が設けられている下筐体２００の下基板２０１のグランド層２１１と導通している。また、レール１０３ｂも、スライダ２０３ｂ及び板金２０５ａ等の導体を介して、下基板２０１のグランド層２１１と導通している。さらに、上基板１０１のグランド層１１１も、フレキシブルケーブル３０１のグランド線を介して、下基板２０１のグランド層２１１と導通している。したがって、図５に示すように、本実施形態の摺動式携帯端末では、下筐体２００の内蔵アンテナ２０９と上筐体１００のレール１０３ａ，１０３ｂ及び上基板１０１のグランド層１１１とが容量結合しても、下基板２０１のグランド層２１１を流れるアンテナ電流がレール１０３ａ，１０３ｂ及び上基板１０１のグランド層１１１に流れ込む。その結果、レール１０３ａ，１０３ｂ及び上基板１０１のグランド層１１１の電流分布はアンテナ電流と同相となるためＶＳＷＲ特性が向上し、アンテナ利得が向上する。
【００２２】
また、レール１０３ｂと下基板２０１のグランド層２１１の間にはリアクタンス素子２０７が設けられている。リアクタンス素子２０７の挿入によってインピーダンスを変更でき、上基板に流れ込むアンテナ電流の位相を変えられるため、所望の周波数帯でのアンテナ利得をさらに向上できる。なお、リアクタンス素子２０７をスライダ２０３ａとフレキシブルケーブル３０１のグランド線の間に設けても良い。
【００２３】
さらに、図２及び図２に示すＢ−Ｂ線断面図である図６に示すように、レール１０３ａ，１０３ｂの少なくともいずれか一方（図２及び図６ではレール１０３ｂ）に板金１０５をネジ止めし、板金１０５及びネジ１１５を介してレール１０３ｂと上基板１０１のグランド層１１１を電気的に接続しても良い。但し、板金１０５及びネジ１１５は導体である。レールと上基板１０１のグランド層１１１を導通させることによって、グランド条件がレールと上基板１０１のグランド層１１１とでばらつかない。その結果、良好なアンテナ利得を安定して得ることができる。
【００２４】
なお、本実施形態では、スライダと板金の電気的接続に関し、ネジを使用する方法を記載したがこれに限るものではなく、導電性クッションを用いる方法などによる接続など、スライダと板金が電気的に接続される方法であれば同様の効果を奏するものである。
【００２５】
また、レール１０３ａ，１０３ｂと上基板１００との接地方法は、板金による接続、導電性クッションによる接続などいくつかの方法が考えられ、さらにリアクタンス素子を挿入してもよい。接地場所についても、レール上端と上基板１００、レール下端と上基板１００、左右のレールどちらか一方、左右のレール両方であってもよい。
【００２６】
また、フレキシブルケーブル３０１を基板グランドと接続する方法として、（１）フレキシブルケーブル３０１をネジ２１５ａに落とし、基板グランドをネジ２１５ｂに落とす、（２）フレキシブルケーブル３０１をネジ２１５ｂに落とし、基板グランドをネジ２１５ａに落とす、（３）フレキシブルケーブル３０１をネジ２１５ａおよびネジ２１５ｂの両方に落とす、（４）フレキシブルケーブル３０１をネジ２１５ａのみに落とす、（５）フレキシブルケーブル３０１をネジ２１５ｂのみに落とす、のいずれであってもよい。
【００２７】
上記説明した実施形態中で用いられている上筐体１００及び下筐体２００は、特許請求の範囲中の第１の筐体及び第２の筐体に該当する。また、上基板１０１及び下基板２０１は、第１の基板及び第２の基板に該当する。また、レール１０３ａ，１０３ｂ及びスライダ２０３ａ，２０３ｂは、複数の摺動部に該当する。また、板金２０５ａは、導体に該当する。さらに、フレキシブルケーブル３０１は、接続部に該当する。なお、本発明は上記の実施形態において示されたものに限定されるものではなく、明細書の記載、並びに周知の技術に基づいて、当業者が変更、応用することも本発明の予定するところであり、保護を求める範囲に含まれる。
【産業上の利用可能性】
【００２８】
本発明に係る摺動式携帯端末は、導体によって形成されたレール及びスライダを備えたスライド式の携帯電話等の通信装置等として有用である。
【図面の簡単な説明】
【００２９】
【図１】一実施形態の摺動式携帯端末を示す斜視図
【図２】図１に示した摺動式携帯端末が備える各筐体の内部構成を示す図
【図３】図１に示した摺動式携帯端末が閉状態での図２に示すＡ−Ａ線断面図
【図４】図１に示した摺動式携帯端末を右側面から見た内部構成を示す図
【図５】図１に示した摺動式携帯端末におけるアンテナ電流及び容量結合による結合電流の分布を示す図
【図６】図１に示した摺動式携帯端末が閉状態での図２に示すＢ−Ｂ線断面図
【図７】特許文献１に開示のスライド型携帯電話機の断面図
【図８】図７に示したスライド型携帯電話機が備える一方の筐体を示す斜視図
【図９】図７に示したスライド型携帯電話機におけるアンテナ電流及び容量結合による結合電流の分布を示す図
【符号の説明】
【００３０】
１００  上筐体
２００  下筐体
１０１  回路基板（上基板）
２０１  回路基板（下基板）
１０３ａ，１０３ｂ  レール
２０３ａ，２０３ｂ  スライダ
１０５，２０５ａ，２０５ｂ  板金
１１５，２１５ａ，２１５ｂ  ネジ
２０７  リアクタンス素子
２０９  内蔵アンテナ
３０１  フレキシブルケーブル
【図１】
2009182791.tif 000003
【図２】
2009182791.tif 000004
【図３】
2009182791.tif 000005
【図４】
2009182791.tif 000006
【図５】
2009182791.tif 000007
【図６】
2009182791.tif 000008
【図７】
2009182791.tif 000009
【図８】
2009182791.tif 000010
【図９】
2009182791.tif 000011